【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
モバイルデバイスにおいて、前記モバイルデバイスに割り振られた複数のリソースブロック、すなわちＲＢ、におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量（power relaxation allowance）を特定することと、を備え、前記エンディングリソースブロックインデックスは、送信されたＲＢの最も高いＲＢインデックスを示す、ワイヤレス通信の方法。
【請求項２】
前記電力緩和許容量を特定することが、前記モバイルデバイスにおいて維持されるテーブルから値を取り出すことを備える、請求項１に記載の方法。
【請求項３】
前記連続するＲＢ割振りの前記長さをしきい値と比較することをさらに備え、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、請求項１に記載の方法。
【請求項４】
前記特定された電力緩和許容量だけ送信電力を低減すること、または
前記モバイルデバイスによって決定された別の量だけ前記送信電力を低減すること、の一方をさらに備える、請求項１に記載の方法。
【請求項５】
前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、をさらに備える、請求項１に記載の方法。
【請求項６】
モバイルデバイスにおいてサービスを提供する発展型ノードＢ、すなわちｅＮＢ、から指示を受信すること、ここで、前記指示は、割り振られた帯域のための高められた放出限界を特定する、と、
前記エンディングＲＢインデックスと前記連続するＲＢ割振りの前記長さとに基づいて、複数の電力緩和許容量のテーブル中の電力緩和許容量を特定すること、ここで、電力緩和許容量は、送信チャネル帯域幅と、隣接する帯域からの距離とに基づいて定義された複数の領域に対応し、前記特定された電力緩和許容量は、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、をさらに備える、請求項１に記載の方法。
【請求項７】
発展型ノードＢ、すなわちｅＮＢ、において、モバイルデバイスから電力ヘッドルーム報告を受信することと、
前記モバイルデバイスに現在割り振られている複数のリソースブロック、すなわちＲＢ、におけるエンディングＲＢインデックスと連続するＲＢ割振りの長さとを決定することと、
前記エンディングＲＢインデックスと前記連続するＲＢ割振りの前記長さとに基づいて、複数の電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、を備え、前記エンディングリソースブロックインデックスは、送信されたＲＢの最も高いＲＢインデックスを示す、ワイヤレス通信のための方法。
【請求項８】
前記スケジュールすることが、
送信帯域における新しい複数のＲＢを割り振ることと、
送信電力に少なくとも部分的に基づいて適切な変調およびコーディング方式、すなわちＭＣＳ、を選択することと、を備える、請求項７に記載の方法。
【請求項９】
モバイルデバイスにおいて、前記モバイルデバイスに割り振られた複数のリソースブロック、すなわちＲＢ、におけるエンディングＲＢインデックスと連続するＲＢ割振りの長さとを決定するための手段と、
前記エンディングＲＢインデックスと前記連続するＲＢ割振りの前記長さとに基づいて、前記モバイルデバイスのアップリンク送信のための電力緩和許容量を特定するための手段と、を備え、前記エンディングリソースブロックインデックスは、送信されたＲＢの最も高いＲＢインデックスを示す、ワイヤレス通信のために構成された装置。
【請求項１０】
前記電力緩和許容量を特定するための手段が、前記モバイルデバイスにおいて維持されるテーブルから値を取り出すための手段を備える、請求項９に記載の装置。
【請求項１１】
前記連続するＲＢ割振りの前記長さをしきい値と比較するための手段をさらに備え、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、請求項９に記載の装置。
【請求項１２】
モバイルデバイスにおいて、サービスを提供する発展型ノードＢ、すなわちｅＮＢ、から指示を受信するための手段、ここで、前記指示は、割り振られた帯域のための高められた放出限界を特定する、と、
前記エンディングＲＢインデックスと前記連続するＲＢ割振りの前記長さとに基づいて、電力緩和許容量のテーブル中の電力緩和許容量を特定するための手段、ここで、電力緩和許容量が、送信チャネル帯域幅と、隣接する帯域からの距離とに基づいて定義された複数の領域に対応し、前記特定された電力緩和許容量が、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整するための手段と、をさらに備える、請求項９に記載の装置。
【請求項１３】
発展型ノードＢ、すなわちｅＮＢ、において、モバイルデバイスから電力ヘッドルーム報告を受信するための手段と、
前記モバイルデバイスに現在割り振られている複数のリソースブロック、すなわちＲＢ、におけるエンディングＲＢインデックスと連続するＲＢ割振りの長さとを決定するための手段と、
前記エンディングＲＢインデックスと前記連続するＲＢ割振りの前記長さとに基づいて、複数の電力緩和許容量のテーブル中の電力緩和許容量を特定するための手段と、
前記特定された電力緩和許容量と前記電力ヘッドルーム報告とに基づいて、前記モバイルデバイスの利用可能な電力を決定するための手段と、
前記決定された利用可能な電力に少なくとも部分的に基づいてアップリンク送信のために前記モバイルデバイスをスケジュールするための手段と、を備え、前記エンディングリソースブロックインデックスは、送信されたＲＢの最も高いＲＢインデックスを示す、ワイヤレス通信のために構成された装置。
【請求項１４】
スケジュールするための前記手段が、
送信帯域における新しい複数のＲＢを割り振るための手段と、
送信電力に少なくとも部分的に基づいて適切な変調およびコーディング方式、すなわちＭＣＳ、を選択するための手段と、を備える、請求項１３に記載の装置。
【請求項１５】
請求項１乃至６または請求項７乃至８のいずれか１項に記載の方法を実行するための命令を備える、コンピュータプログラム。
【手続補正２】
【補正対象書類名】明細書
【補正対象項目名】００６９
【補正方法】変更
【補正の内容】
【００６９】
[0077]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
[Ｃ１]  モバイルデバイスにおいて、前記モバイルデバイスに割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量（power relaxation allowance）を特定することと、を備える、ワイヤレス通信の方法。
[Ｃ２]  前記電力緩和許容量を特定することが、前記モバイルデバイスにおいて維持されるテーブルから値を取り出すことを備える、Ｃ１に記載の方法。
[Ｃ３]  前記モバイルデバイスが複数のテーブルを備え、各テーブルが、割り振られた帯域と「保護された」帯域との間の異なるオフセットに対応する電力緩和値を備える、Ｃ２に記載の方法。
[Ｃ４]  サービスを提供する発展型ノードＢ（ｅＮＢ）から指示を受信することをさらに備え、前記指示が、前記割り振られた帯域のための高められた放出限界を特定する、Ｃ２に記載の方法。
[Ｃ５]  前記モバイルデバイスが複数のテーブルを備え、各テーブルが、前記割り振られた帯域と「保護された」帯域との間の異なるオフセットに対応する電力緩和値を備える、Ｃ４に記載の方法。
[Ｃ６]  各テーブルが、前記割り振られた帯域上での前記モバイルデバイスの可能なアップリンク割当てのセットに対応する、Ｃ５に記載の方法。
[Ｃ７]  前記連続するＲＢ割振りの前記長さをしきい値と比較することをさらに備え、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、Ｃ１に記載の方法。
[Ｃ８]  前記しきい値が、前記割り振られた帯域上でのアップリンク通信からの保護された帯域に対する異なる干渉源に対応する、Ｃ７に記載の方法。
[Ｃ９]  前記しきい値が前記モバイルデバイスによって決定される、Ｃ８に記載の方法。
[Ｃ１０]  前記しきい値が、前記割り振られた帯域を備えるリソースブロックの数、前記保護された帯域からのオフセット、および前記割り振られた帯域と前記保護された帯域とを分離するガードバンドの幅に基づく、Ｃ９に記載の方法。
[Ｃ１１]  前記特定された電力緩和許容量だけ送信電力を低減すること、または
前記モバイルデバイスによって決定された別の量だけ前記送信電力を低減すること、の一方をさらに備える、Ｃ１に記載の方法。
[Ｃ１２]  前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、をさらに備える、Ｃ１に記載の方法。
[Ｃ１３]  前記決定された緩和量が前記最適化値との線形関係を有する、Ｃ１２に記載の方法。
[Ｃ１４]  発展型ノードＢ（ｅＮＢ）において、モバイルデバイスから電力ヘッドルーム報告を受信することと、
前記モバイルデバイスに現在割り振られている複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、複数の電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、を備える、ワイヤレス通信のための方法。
[Ｃ１５]  前記スケジュールすることが、
送信帯域における新しい複数のＲＢを割り振ることと、
送信電力に少なくとも部分的に基づいて適切な変調およびコーディング方式（ＭＣＳ）を選択することと、を備える、Ｃ１４に記載の方法。
[Ｃ１６]  モバイルデバイスにおいてサービスを提供する発展型ノードＢ（ｅＮＢ）から指示を受信すること、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、複数の電力緩和許容量のテーブル中の電力緩和許容量を特定すること、ここで、電力緩和許容量は、送信チャネル帯域幅と、隣接する帯域からの距離とに基づいて定義された複数の領域に対応し、前記特定された電力緩和許容量は、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、を備える、ワイヤレス通信のための方法。
[Ｃ１７]  前記隣接する帯域が保護された通信帯域である、Ｃ１６に記載の方法。
[Ｃ１８]  前記保護された通信帯域が、パブリックセーフティ用途のために指定された狭帯域を備える、Ｃ１７に記載の方法。
[Ｃ１９]  前記領域が、前記割り振られた帯域上での送信からの異なる干渉源に対応する、Ｃ１６に記載の方法。
[Ｃ２０]  モバイルデバイスにおいて、前記モバイルデバイスに割り振られた複数のリソースブロック（ＲＢ）におけるエンディングＲＢインデックスと連続するＲＢ割振りの長さとを決定するための手段と、
前記エンディングＲＢインデックスと前記連続するＲＢ割振りの前記長さとに基づいて、前記モバイルデバイスのアップリンク送信のための電力緩和許容量を特定するための手段と、を備える、ワイヤレス通信のために構成された装置。
[Ｃ２１]  前記電力緩和許容量を特定するための手段が、前記モバイルデバイスにおいて維持されるテーブルから値を取り出すための手段を備える、Ｃ２０に記載の装置。
[Ｃ２２]  前記モバイルデバイスが複数のテーブルを備え、各テーブルが、割り振られた帯域と「保護された」帯域との間の異なるオフセットに対応する電力緩和値を備える、Ｃ２１に記載の装置。
[Ｃ２３]  サービスを提供する発展型ノードＢ（ｅＮＢ）から指示を受信するための手段を備え、前記指示が、前記割り振られた帯域のための高められた放出限界を特定する、Ｃ２２に記載の装置。
[Ｃ２４]  前記モバイルデバイスが複数のテーブルを備え、各テーブルが、前記割り振られた帯域と「保護された」帯域との間の異なるオフセットに対応する電力緩和値を備える、Ｃ２３に記載の装置。
[Ｃ２５]  各テーブルが、前記割り振られた帯域上での前記モバイルデバイスの可能なアップリンク割当てのセットに対応する、Ｃ２４に記載の装置。
[Ｃ２６]  前記連続するＲＢ割振りの前記長さをしきい値と比較するための手段を備え、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、Ｃ２０に記載の装置。
[Ｃ２７]  前記しきい値が、前記割り振られた帯域上でのアップリンク通信からの保護された帯域に対する異なる干渉源に対応する、Ｃ２６に記載の装置。
[Ｃ２８]  前記しきい値が前記モバイルデバイスによって決定される、Ｃ２７に記載の装置。
[Ｃ２９]  前記しきい値が、前記割り振られた帯域を備えるリソースブロックの数、前記保護された帯域からのオフセット、および前記割り振られた帯域と前記保護された帯域とを分離するガードバンドの幅に基づく、Ｃ２８に記載の装置。
[Ｃ３０]  前記特定された電力緩和許容量だけ送信電力を低減するための手段、または
前記モバイルデバイスによって決定された別の量だけ前記送信電力を低減するための手段、の一方をさらに備える、Ｃ２０に記載の装置。
[Ｃ３１]  前記モバイルデバイスにおいて、前記エンディングＲＢインデックスと前記連続するＲＢ割振りの前記長さとの和に基づく最適化値を決定するための手段と、
前記最適化値をしきい値と比較するための手段と、
前記最適化値が前記しきい値より小さいとき、０によって前記送信電力を調整するための手段と、
前記最適化値が前記しきい値を超えるとき、決定された緩和量によって前記送信電力を調整するための手段と、をさらに備える、Ｃ２０に記載の装置。
[Ｃ３２]  前記決定された緩和量が前記最適化値との線形関係を有する、Ｃ３１に記載の装置。
[Ｃ３３]  発展型ノードＢ（ｅＮＢ）において、モバイルデバイスから電力ヘッドルーム報告を受信するための手段と、
前記モバイルデバイスに現在割り振られている複数のリソースブロック（ＲＢ）におけるエンディングＲＢインデックスと連続するＲＢ割振りの長さとを決定するための手段と、
前記エンディングＲＢインデックスと前記連続するＲＢ割振りの前記長さとに基づいて、複数の電力緩和許容量のテーブル中の電力緩和許容量を特定するための手段と、
前記特定された電力緩和許容量と前記電力ヘッドルーム報告とに基づいて、前記モバイルデバイスの利用可能な電力を決定するための手段と、
前記決定された利用可能な電力に少なくとも部分的に基づいてアップリンク送信のために前記モバイルデバイスをスケジュールするための手段と、を備える、ワイヤレス通信のために構成された装置。
[Ｃ３４]  スケジュールするための前記手段が、
送信帯域における新しい複数のＲＢを割り振るための手段と、
送信電力に少なくとも部分的に基づいて適切な変調およびコーディング方式（ＭＣＳ）を選択するための手段と、を備える、Ｃ３３に記載の装置。
[Ｃ３５]  モバイルデバイスにおいて、サービスを提供する発展型ノードＢ（ｅＮＢ）から指示を受信するための手段、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定するための手段と、
前記エンディングＲＢインデックスと前記連続するＲＢ割振りの前記長さとに基づいて、電力緩和許容量のテーブル中の電力緩和許容量を特定するための手段、ここで、電力緩和許容量が、送信チャネル帯域幅と、隣接する帯域からの距離とに基づいて定義された複数の領域に対応し、前記特定された電力緩和許容量が、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整するための手段と、を備える、ワイヤレス通信のために構成された装置。
[Ｃ３６]  前記隣接する帯域が保護された通信帯域である、Ｃ３５に記載の装置。
[Ｃ３７]  前記保護された通信帯域が、パブリックセーフティ用途のために指定された狭帯域を備える、Ｃ３６に記載の装置。
[Ｃ３８]  前記領域が、前記割り振られた帯域上での送信からの異なる干渉源に対応する、Ｃ３５に記載の装置。
[Ｃ３９]  ワイヤレスネットワークにおけるワイヤレス通信のためのコンピュータプログラム製品であって、
プログラムコードを記録した非一時的コンピュータ可読媒体を備え、前記プログラムコードが、コンピュータに、
モバイルデバイスにおいて、前記モバイルデバイスに割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量を特定することと、を行わせるためのプログラムコードを備える、コンピュータプログラム製品。
[Ｃ４０]  前記電力緩和許容量を特定するための前記プログラムコードが、前記コンピュータに、前記モバイルデバイスにおいて維持されるテーブルから値を取り出すことを行わせるプログラムコードを備える、Ｃ３９に記載のコンピュータプログラム製品。
[Ｃ４１]  前記モバイルデバイスが複数のテーブルを備え、各テーブルが、割り振られた帯域と「保護された」帯域との間の異なるオフセットに対応する電力緩和値を備える、Ｃ４０に記載のコンピュータプログラム製品。
[Ｃ４２]  前記コンピュータに、サービスを提供する発展型ノードＢ（ｅＮＢ）から指示を受信することを行わせるプログラムコードをさらに備え、前記指示は、前記割り振られた帯域のための高められた放出限界を特定する、Ｃ４０に記載のコンピュータプログラム製品。
[Ｃ４３]  前記モバイルデバイスが複数のテーブルを備え、各テーブルが、前記割り振られた帯域と「保護された」帯域との間の異なるオフセットに対応する電力緩和値を備える、Ｃ４２に記載のコンピュータプログラム製品。
[Ｃ４４]  各テーブルが、前記割り振られた帯域上での前記モバイルデバイスの可能なアップリンク割当てのセットに対応する、Ｃ４３に記載のコンピュータプログラム製品。
[Ｃ４５]  前記コンピュータに、
前記連続するＲＢ割振りの前記長さをしきい値と比較することを行わせるプログラムコードをさらに備え、前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、Ｃ３９に記載のコンピュータプログラム製品。
[Ｃ４６]  前記しきい値が、前記割り振られた帯域上でのアップリンク通信からの保護された帯域に対する異なる干渉源に対応する、Ｃ４５に記載のコンピュータプログラム製品。
[Ｃ４７]  前記しきい値が、前記モバイルデバイスによって決定される、Ｃ４６に記載のコンピュータプログラム製品。
[Ｃ４８]  前記しきい値が、前記割り振られた帯域を備えるリソースブロックの数、前記保護された帯域からのオフセット、および前記割り振られた帯域と前記保護された帯域とを分離するガードバンドの幅に基づく、Ｃ４７に記載のコンピュータプログラム製品。
[Ｃ４９]  前記コンピュータに、
前記特定された電力緩和許容量だけ送信電力を低減すること、または
前記モバイルデバイスによって決定された別の量だけ前記送信電力を低減すること、の一方を行わせるプログラムコードをさらに備える、Ｃ３９に記載のコンピュータプログラム製品。
[Ｃ５０]  前記コンピュータに、
前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、を行わせるプログラムコードをさらに備える、Ｃ３９に記載のコンピュータプログラム製品。
[Ｃ５１]  前記決定された緩和量が前記最適化値との線形関係を有する、Ｃ５０に記載のコンピュータプログラム製品。
[Ｃ５２]  ワイヤレスネットワークにおけるワイヤレス通信のためのコンピュータプログラム製品であって、
プログラムコードを記録した非一時的コンピュータ可読媒体を備え、前記プログラムコードが、コンピュータに、
発展型ノードＢ（ｅＮＢ）において、モバイルデバイスから電力ヘッドルーム報告を受信することと、
前記モバイルデバイスへの割振りのための複数の候補リソースブロック（ＲＢ）における現在割り振られている複数のＲＢにおけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、を行わせるためのプログラムコードを備える、コンピュータプログラム製品。
[Ｃ５３]  スケジュールするための前記プログラムコードが、前記コンピュータに、
送信帯域における新しい複数のＲＢを割り振ることと、
送信電力に少なくとも部分的に基づいて適切な変調およびコーディング方式（ＭＣＳ）を選択することと、を行わせるプログラムコードを備える、Ｃ５２に記載のコンピュータプログラム製品。
[Ｃ５４]  ワイヤレスネットワークにおけるワイヤレス通信のためのコンピュータプログラム製品であって、
プログラムコードを記録した非一時的コンピュータ可読媒体を備え、前記プログラムコードが、コンピュータに、
モバイルデバイスにおいて、サービスを提供する発展型ノードＢ（ｅＮＢ）から指示を受信すること、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定すること、ここで、電力緩和許容量は、送信チャネル帯域幅と、隣接する帯域からの距離とに基づいて定義された複数の領域に対応し、前記特定された電力緩和許容量は、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、を行わせるためのプログラムコードを備える、コンピュータプログラム製品。
[Ｃ５５]  前記隣接する帯域が保護された通信帯域である、Ｃ５４に記載のコンピュータプログラム製品。
[Ｃ５６]  前記保護された通信帯域が、パブリックセーフティ用途のために指定された狭帯域を備える、Ｃ５５に記載のコンピュータプログラム製品。
[Ｃ５７]  前記領域が、前記割り振られた帯域上での送信からの異なる干渉源に対応する、Ｃ５４に記載のコンピュータプログラム製品。
[Ｃ５８]  ワイヤレス通信のために構成された装置であって、前記装置は、
少なくとも１つのプロセッサと、
前記少なくとも１つのプロセッサに結合されたメモリとを備え、
前記少なくとも１つのプロセッサが、
モバイルデバイスにおいて、前記モバイルデバイスに割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、前記モバイルデバイスのアップリンク送信のための電力緩和許容量を特定することと、を行うように構成された、装置。
[Ｃ５９]  前記電力緩和許容量を特定するための前記少なくとも１つのプロセッサの前記構成が、前記モバイルデバイスにおいて維持されるテーブルから値を取り出すための構成を備える、Ｃ５８に記載の装置。
[Ｃ６０]  前記モバイルデバイスが複数のテーブルを備え、各テーブルが、割り振られた帯域と「保護された」帯域との間の異なるオフセットに対応する電力緩和値を備える、Ｃ５９に記載の装置。
[Ｃ６１]  前記少なくとも１つのプロセッサは、サービスを提供する発展型ノードＢ（ｅＮＢ）から指示を受信することを行うようにさらに構成され、前記指示は、前記割り振られた帯域のための高められた放出限界を特定する、Ｃ５９に記載の装置。
[Ｃ６２]  前記モバイルデバイスが複数のテーブルを備え、各テーブルが、前記割り振られた帯域と「保護された」帯域との間の異なるオフセットに対応する電力緩和値を備える、Ｃ６１に記載の装置。
[Ｃ６３]  各テーブルが、前記割り振られた帯域上での前記モバイルデバイスの可能なアップリンク割当てのセットに対応する、Ｃ６２に記載の装置。
[Ｃ６４]  前記少なくとも１つのプロセッサは、
前記連続するＲＢ割振りの前記長さをしきい値と比較することを行うようにさらに構成され、
前記特定された電力緩和許容量は、前記長さが前記しきい値より小さいとき、第１の電力緩和許容量を備え、前記特定された電力緩和許容量は、前記長さが前記しきい値を超えるとき、第２の電力緩和許容量を備える、Ｃ５８に記載の装置。
[Ｃ６５]  前記しきい値が、前記割り振られた帯域上でのアップリンク通信からの保護された帯域に対する異なる干渉源に対応する、Ｃ６４に記載の装置。
[Ｃ６６]  前記しきい値が、前記モバイルデバイスによって決定される、Ｃ６５に記載の装置。
[Ｃ６７]  前記しきい値が、前記割り振られた帯域を備えるリソースブロックの数、前記保護された帯域からのオフセット、および前記割り振られた帯域と前記保護された帯域とを分離するガードバンドの幅に基づく、Ｃ６６に記載の装置。
[Ｃ６８]  前記少なくとも１つのプロセッサが、
前記特定された電力緩和許容量だけ送信電力を低減すること、または
前記モバイルデバイスによって決定された別の量だけ前記送信電力を低減すること、の一方を行うようにさらに構成された、Ｃ６７に記載の装置。
[Ｃ６９]  前記少なくとも１つのプロセッサは、
前記モバイルデバイスにおいて、前記エンディングＲＢインデックスと前記連続するＲＢ割振りの前記長さとの和に基づく最適化値を決定することと、
前記最適化値をしきい値と比較することと、
前記最適化値が前記しきい値より小さいとき、０によって前記送信電力を調整することと、
前記最適化値が前記しきい値を超えるとき、決定された緩和量によって前記送信電力を調整することと、を行うようにさらに構成された、Ｃ５８に記載の装置。
[Ｃ７０]  前記決定された緩和量が前記最適化値との線形関係を有する、Ｃ６９に記載の装置。
[Ｃ７１]  ワイヤレス通信のために構成された装置であって、前記装置は、
少なくとも１つのプロセッサと、
前記少なくとも１つのプロセッサに結合されたメモリとを備え、
前記少なくとも１つのプロセッサが、
発展型ノードＢ（ｅＮＢ）において、モバイルデバイスから電力ヘッドルーム報告を受信することと、
前記モバイルデバイスに現在割り振られている複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定することと、
前記特定された電力緩和許容量と前記電力ヘッドルーム報告とに基づいて、前記モバイルデバイスの利用可能な電力を決定することと、
前記決定された利用可能な電力に少なくとも部分的に基づいてアップリンク送信のために前記モバイルデバイスをスケジュールすることと、を行うように構成された、装置。
[Ｃ７２]  スケジュールするための前記少なくとも１つのプロセッサの前記構成が、
送信帯域における新しい複数のＲＢを割り振ることと、
送信電力に少なくとも部分的に基づいて適切な変調およびコーディング方式（ＭＣＳ）を選択することと、を行うための構成を備える、Ｃ７１に記載の装置。
[Ｃ７３]  ワイヤレス通信のために構成された装置であって、前記装置は、
少なくとも１つのプロセッサと、
前記少なくとも１つのプロセッサに結合されたメモリとを備え、
前記少なくとも１つのプロセッサが、
モバイルデバイスにおいてサービスを提供する発展型ノードＢ（ｅＮＢ）から指示を受信すること、ここで、前記指示は、割り振られた帯域のための高められた放出限界を特定する、と、
割り振られた複数のリソースブロック（ＲＢ）におけるエンディングＲＢインデックスと連続するＲＢ割振りの長さとを決定することと、
前記エンディングＲＢインデックスと前記連続するＲＢ割振りの前記長さとに基づいて、電力緩和許容量のテーブル中の電力緩和許容量を特定すること、ここで、電力緩和許容量が、送信チャネル帯域幅と、隣接する帯域からの距離とに基づいて定義された複数の領域に対応し、前記特定された電力緩和許容量が、前記エンディングＲＢインデックスと前記連続するＲＢ割振りの前記長さとに関連付けられた前記複数の領域のうちの１つ中に位置付けられる、と、
前記指示に従って前記モバイルデバイスにおいて送信電力を調整することと、を行うように構成された、装置。
[Ｃ７４]  前記隣接する帯域が保護された通信帯域である、Ｃ７３に記載の装置。
[Ｃ７５]  前記保護された通信帯域が、パブリックセーフティ用途のために指定された狭帯域を備える、Ｃ７４に記載の装置。
[Ｃ７６]  前記領域が、前記割り振られた帯域上での送信からの異なる干渉源に対応する、Ｃ７３に記載の装置。